(57)【要約】【課題】移動端末が基地局間をハンドオーバする際に、移動元基地局と移動先基地局との間でリンクを確立すること。【解決手段】基地局は、自局のＩＰアドレスを報知情報に含めて報知する。移動端末４は、基地局Ｂ３の報知情報を受信可能なエリアに入ると、基地局Ｂ３の報知情報７を受信し、基地局Ｂ３のＩＰアドレスを取得する。移動端末４は、基地局Ａ２から基地局Ｂ３へハンドオーバする際、基地局Ｂ３のＩＰアドレスをＭｅａｓｕｒｅｍｅｎｔ  Ｒｅｐｏｒｔ信号８に含めて基地局Ａ２へ転送する。基地局Ａ２は、転送されてきたＩＰアドレスに基づいて、ハンドオーバ先の基地局Ｂ３を特定し、その基地局Ｂ３との間にリンク９を確立する。基地局Ａ２は、移動端末４に送信すべきデータを、リンク９を経由して基地局Ｂ３へ転送する。基地局Ｂ３は、基地局Ａ２から転送されてきたデータを移動端末４へ送信し、移動端末４との間で無線通信を継続する。【選択図】図１
2010028675.tif 000002
【特許請求の範囲】
【請求項１】
複数の基地局と移動端末を備えた通信システムにおいて、
自局を特定する識別情報を報知する第２基地局と、
前記第２基地局から報知された前記識別情報を受信して転送する移動端末と、
前記移動端末から転送された前記識別情報に基づいて前記第２基地局を特定する第１基地局と、
を備えることを特徴とする通信システム。
【請求項２】
前記識別情報に基づいて特定された前記第２基地局と前記第１基地局との間にリンクを確立することを特徴とする請求項１に記載の通信システム。
【請求項３】
前記リンクを経由して前記第１基地局から前記第２基地局へデータを転送することを特徴とする請求項２に記載の通信システム。
【請求項４】
前記データ転送の終了後、前記リンクを切断することを特徴とする請求項３に記載の通信システム。
【請求項５】
自局を特定する識別情報と、
前記識別情報を含む報知情報を生成して報知する報知情報部と、
を備えることを特徴とする基地局。
【請求項６】
移動端末から受信した信号に含まれる識別情報に基づいて、前記移動端末のハンドオーバ先となる基地局を特定し、該ハンドオーバ先基地局との間のリンクの確立を制御するリンク制御部、をさらに備えることを特徴とする請求項５に記載の基地局。
【請求項７】
第２基地局から報知された報知情報に含まれる識別情報を格納する記憶部と、
前記第２基地局をハンドオーバ先とする際に、前記記憶部に格納されている前記識別情報を読み出し、該識別情報を含む送信対象信号を生成して無線接続中の第１基地局へ送信する送信部と、
を備えることを特徴とする移動端末。
【請求項８】
移動端末が第１基地局から第２基地局へハンドオーバする際に、前記第１基地局が有するデータを前記第２基地局へ転送するデータ転送方法において、
前記第２基地局が、自局を特定する識別情報を報知するステップと、
前記移動端末が、前記第２基地局から報知された前記識別情報を受信して転送するステップと、
前記第１基地局が、前記移動端末から転送されてきた前記識別情報に基づいて前記第２基地局を特定するステップと、
前記第２基地局と前記第１基地局との間にリンクを確立するステップと、
前記リンクを経由して前記第１基地局から前記第２基地局へデータを転送するステップと、
を含むことを特徴とするデータ転送方法。
【請求項９】
前記データ転送の終了後、前記リンクを切断するステップ、をさらに含むことを特徴とする請求項８に記載のデータ転送方法。
【発明の詳細な説明】
【技術分野】
【０００１】
この発明は、通信システム、基地局、移動端末およびデータ転送方法に関する。
【背景技術】
【０００２】
従来、インターネットプロトコル（ＩＰ）を使用する無線通信システム内でのデータパケットトランスポートのための方法が提案されている。この提案では、近隣のルータを通してノード間にマルチキャストツリーが構築される。該マルチキャストツリーは、放送コンテンツが伝送されるトンネルを形成する。放送メッセージは、マルチキャストツリーを通した伝送のためにＩＰパケット内でカプセル化される。アクセス網などのシステムのインターネット部分とシステムの無線部分の間に少なくとも１つのマルチキャストツリーが形成される。外部マルチキャストツリーはコンテンツソースとパケットデータサービスノードの間に形成され、内部マルチキャストツリーはパケットデータサービスノードとパケット制御機能ノードの間に形成される（例えば、特許文献１参照。）。
【０００３】
また、移動端末の位置情報から地図情報を提供しうる移動通信システムが提案されている。この提案では、各移動端末が、位置情報を検出する位置情報検出手段と、位置情報を情報センタへ送信する位置情報送信手段と、アップロードデータを情報センタへ送信するアップロードデータ送信手段と、情報センタからの情報／サービスを利用する情報・サービス利用手段とを備え、情報センタが、情報／サービスを蓄積する蓄積手段と、移動端末からの位置情報を受信して蓄積手段内の情報／サービスを検索する検索手段と、アップロードデータを蓄積手段に蓄積する蓄積制御手段と、検索手段にて検索された情報／サービスを蓄積手段から取り出して移動端末に送信する情報・サービス送信手段とを備えるように構成される（例えば、特許文献２参照。）。
【０００４】
【特許文献１】特表２００５−５３６９０２号公報
【特許文献２】特開平１０−１３９６１号公報
【発明の開示】
【発明が解決しようとする課題】
【０００５】
しかしながら、従来技術は、移動端末が基地局間をハンドオーバする際に、移動元基地局と移動先基地局との間にリンクを確立する技術ではない。また、移動元基地局と移動先基地局との間にリンクを確立する際に、リンクの確立に必要な移動先基地局の情報を、移動端末を経由して移動元基地局に与える技術ではない。
【０００６】
移動端末が基地局間をハンドオーバする際に、移動元基地局が移動先基地局を特定して、移動元基地局と移動先基地局との間にリンクを確立する通信システム、基地局、移動端末およびデータ転送方法を提供することを目的とする。
【課題を解決するための手段】
【０００７】
この通信システム、基地局、移動端末およびデータ転送方法は、移動端末が第１基地局から第２基地局へハンドオーバする際に、第２基地局が自局の識別情報を報知し、移動端末がその識別情報を受信して第１基地局へ転送し、第１基地局がその識別情報に基づいて第２基地局との間にリンクを確立し、そのリンクを経由して第１基地局から第２基地局へデータを転送する。
【０００８】
この通信システム、基地局、移動端末およびデータ転送方法によれば、移動先基地局（第２基地局）の識別情報が移動端末を経由して移動元基地局（第１基地局）に送られるので、移動元基地局は、その識別情報に基づいて移動先基地局を特定することができる。
【発明の効果】
【０００９】
この通信システム、基地局、移動端末およびデータ転送方法によれば、移動端末が基地局間をハンドオーバする際に、移動元基地局が移動先基地局を特定して、移動元基地局と移動先基地局との間にリンクを確立することができる。
【発明を実施するための最良の形態】
【００１０】
以下に添付図面を参照して、この通信システム、基地局、移動端末およびデータ転送方法の好適な実施の形態を詳細に説明する。
【００１１】
（概略）
図１は、実施の形態にかかる通信システムの概略を示す説明図である。図１において、符号１は、複数の基地局（ｅＮＢ）を制御するアクセスゲートウェイ（ａＧＷ）であり、符号２および３は基地局（ｅＮＢ）であり、符号４は移動端末（ＵＥ）である。符号５および６は、各基地局がカバーする無線通信エリアである。基地局は、自局を特定する識別情報を有しており、この識別情報を報知情報に含めて報知している。基地局同士で直接、データの送受信を行う必要のないときには、基地局間を直接、接続するリンクは確立されていない。基地局間を直接、接続するリンクとは、アクセスゲートウェイを介さずに基地局同士を接続するリンクのことである。
【００１２】
ここで、移動端末４が基地局間でハンドオーバする際の移動元基地局（第１基地局）およびその無線通信エリアをＡとし、移動先基地局（第２基地局）およびその無線通信エリアをＢとする。また、識別情報を例えばＩＰ（Ｉｎｔｅｒｎｅｔ  Ｐｒｏｔｏｃｏｌ）アドレスとする。無線通信エリアＡ５にいる移動端末４は、基地局Ｂ３の報知情報を受信可能なエリアに入ると、その報知情報７を受信し、基地局Ｂ３のＩＰアドレスを取得する。移動端末４は、基地局Ａ２から基地局Ｂ３へハンドオーバする際、基地局Ｂ３のＩＰアドレスをハンドオーバ要求、例えばＭｅａｓｕｒｅｍｅｎｔ  Ｒｅｐｏｒｔ信号８に含めて基地局Ａ２へ転送する。
【００１３】
基地局Ａ２は、転送されてきたＩＰアドレスに基づいて、ハンドオーバ先の基地局Ｂ３を特定し、その基地局Ｂ３との間に図示省略したネットワークを介してリンク９を確立する。このリンク９により、基地局Ａ２と基地局Ｂ３は、直接、接続される。基地局Ａ２は、移動端末４に送信すべきデータを、リンク９を経由して基地局Ｂ３へ転送する。基地局Ｂ３は、基地局Ａ２から転送されてきたデータを移動端末４へ送信し、移動端末４との間で無線通信を継続する。
【００１４】
（基地局の構成）
図２は、実施の形態にかかる基地局の構成を示すブロック図である。図２に示すように、基地局Ａ２（基地局Ｂ３）は、ベースバンド信号の変調および高周波信号の復調を行うＲＦ部１１、ベースバンド信号を処理するベースバンド部（ＢＢ部）１２、および基地局全体の制御を司る制御部１３を備えている。制御部１３は、報知情報を生成する報知情報部１４、呼処理を行う呼処理部１５、および基地局間のリンクを確立するための制御を行うＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）リンク制御部１６を備えている。
【００１５】
報知情報部１４は、局データ格納領域１７に、自局を特定するＩＰアドレスを保持している。報知情報部１４は、局データ格納領域１７からＩＰアドレスを読み出し、報知情報にＩＰアドレスを設定する。基地局Ａ２（基地局Ｂ３）は、その報知情報を、ベースバンド部１２およびＲＦ部１１を介して図示省略したアンテナから送信する。
【００１６】
基地局Ａ２（基地局Ｂ３）は、図示省略したアンテナでＭｅａｓｕｒｅｍｅｎｔ  Ｒｅｐｏｒｔ信号を受信する。呼処理部１５のハンドオーバ処理部（ＨＯ処理部）１８は、ＲＦ部１１およびベースバンド部１２を介してＭｅａｓｕｒｅｍｅｎｔ  Ｒｅｐｏｒｔ信号を受け取り、リンク確立指示を出力する。ＳＣＴＰリンク制御部１６は、リンク確立指示を受け取り、Ｍｅａｓｕｒｅｍｅｎｔ  Ｒｅｐｏｒｔ信号に含まれるＩＰアドレスに基づいて、ハンドオーバ先となる基地局を特定し、その基地局との間のリンクの確立を制御する。基地局Ａ２（基地局Ｂ３）は、確立されたリンクを介して別の基地局へユーザデータを転送する。ＲＦ部１１、ベースバンド部１２および制御部１３は、ユーザデータ転送部としての処理を行う。
【００１７】
（移動端末の構成）
図３は、実施の形態にかかる移動端末の構成を示すブロック図である。図３に示すように、移動端末４は、基地局と同様に、ＲＦ部２１、ベースバンド部（ＢＢ部）２２および制御部２３を備えている。移動端末４は、図示省略したアンテナで報知情報を受信する。制御部２３は、ＲＦ部２１およびベースバンド部２２を介して報知情報を受け取り、報知情報に含まれるＩＰアドレスを制御部２３のメモリ２４に格納する。
【００１８】
制御部２３は、メモリ２４からＩＰアドレスを読み出し、Ｍｅａｓｕｒｅｍｅｎｔ  Ｒｅｐｏｒｔ信号にＩＰアドレスを設定する。移動端末４は、そのＭｅａｓｕｒｅｍｅｎｔ  Ｒｅｐｏｒｔ信号を、ベースバンド部２２およびＲＦ部２１を介して図示省略したアンテナから送信する。ＲＦ部２１、ベースバンド部２２および制御部２３は、ＩＰアドレスを含む信号を生成して送信する送信部としての処理を行う。
【００１９】
（報知情報の構成）
図４は、報知情報の構成の一例を示す説明図である。図４に示すように、自局のＩＰアドレスは、例えば報知情報７の一つのシステム情報ブロック（ＳＩＢ３）３１に設定される。なお、他のシステム情報ブロックにＩＰアドレスを設定してもよい。
【００２０】
（Ｍｅａｓｕｒｅｍｅｎｔ  Ｒｅｐｏｒｔ信号の構成）
図５は、Ｍｅａｓｕｒｅｍｅｎｔ  Ｒｅｐｏｒｔ信号の構成の一例を示す説明図である。図５に示すように、ハンドオーバ先の基地局のＩＰアドレスは、例えばＭｅａｓｕｒｅｍｅｎｔ  Ｒｅｐｏｒｔ信号８の一つのセル情報フィールド３２に設定される。なお、他のフィールドにＩＰアドレスを設定してもよい。
【００２１】
（報知情報受信時の移動端末の動作）
図６は、実施の形態にかかる移動端末の報知情報受信時の動作を示すフローチャートである。図６に示すように、移動端末４は、報知情報を受信し、その報知情報が新規の情報であるか否かを判断する（ステップＳ１）。新規である場合（ステップＳ１：Ｙｅｓ）、移動端末４は、その報知情報をデコードし、基地局（基地局Ｂ３）のＩＰアドレスを取得する（ステップＳ２）。そして、移動端末４は、そのＩＰアドレスをメモリ２４に格納し（ステップＳ３）、所定の報知情報処理を行う。一方、受信した報知情報が新規でない場合（ステップＳ１：Ｎｏ）、移動端末４は、ＩＰアドレスのデコードおよび格納処理を行わずに、所定の報知情報処理を行う。
【００２２】
（ハンドオーバ要求時の移動端末の動作）
図７は、実施の形態にかかる移動端末のハンドオーバ時の動作を示すフローチャートである。図７に示すように、移動端末４は、別の基地局（基地局Ｂ３）へハンドオーバする際に、例えば複数の基地局（基地局Ａ２、基地局Ｂ３）に対する受信電力に基づいて、ハンドオーバ要求の有無を判断する（ステップＳ１１）。ハンドオーバ要求がある場合（ステップＳ１１：Ｙｅｓ）、移動端末４は、メモリ２４からハンドオーバ先の基地局（基地局Ｂ３）のＩＰアドレスを読み出す（ステップＳ１２）。そして、移動端末４は、そのＩＰアドレスをＭｅａｓｕｒｅｍｅｎｔ  Ｒｅｐｏｒｔ信号に設定し（ステップＳ１３）、所定のハンドオーバ要求処理を行う。一方、ハンドオーバ要求がない場合（ステップＳ１１：Ｎｏ）、移動端末４は、ＩＰアドレスの読み出しおよび設定を行わずに、所定のハンドオーバ要求処理を行う。
【００２３】
（ハンドオーバ時の移動元基地局の動作）
図８は、実施の形態にかかる移動元基地局のハンドオーバ時の動作を示すフローチャートである。図８に示すように、移動元の基地局Ａ２は、移動端末４からハンドオーバ要求（Ｍｅａｓｕｒｅｍｅｎｔ  Ｒｅｐｏｒｔ信号８）を受け取り、滞留しているユーザデータの有無を判定する（ステップＳ２１）。滞留しているユーザデータがある場合（ステップＳ２１：Ｙｅｓ）、移動元基地局Ａ２は、移動端末４から受け取ったＭｅａｓｕｒｅｍｅｎｔ  Ｒｅｐｏｒｔ信号８に設定されているＩＰアドレスに基づいて、ハンドオーバ先（移動先）の基地局Ｂ３との間にリンクが確立されているか否かを判定する（ステップＳ２２）。
【００２４】
リンクが確立されていない場合（ステップＳ２２：Ｎｏ）、移動元基地局Ａ２は、ハンドオーバ先基地局Ｂ３との間に例えばＳＣＴＰリンク９を確立する（ステップＳ２３）。そして、移動元基地局Ａ２は、ステップＳ２３で確立されたリンク９を介して、または既にＳＣＴＰリンク９が確立されている場合（ステップＳ２２：Ｙｅｓ）にはそのリンクを介して、ハンドオーバ先基地局Ｂ３へ、滞留しているユーザデータを転送し（ステップＳ２４）、所定のハンドオーバ処理を実施する。一方、滞留しているユーザデータがない場合（ステップＳ２１：Ｎｏ）、移動元基地局Ａ２は、基地局間のリンクの確立およびデータ転送を行わずに、所定のハンドオーバ処理を実施する。
【００２５】
（ハンドオーバ時の移動先基地局の動作）
図９は、実施の形態にかかる移動先基地局のハンドオーバ時の動作を示すフローチャートである。図９に示すように、ハンドオーバ先基地局Ｂ３は、移動元基地局Ａ２からユーザデータの転送要求を受け取り、移動元基地局Ａ２からのＳＣＴＰリンクの確立要求に従って、移動元基地局Ａ２との間にＳＣＴＰリンク９を確立する（ステップＳ３１）。ハンドオーバ先基地局Ｂ３は、そのＳＣＴＰリンク９を経由して移動元基地局Ａ２からユーザデータを受信し（ステップＳ３２）、そのデータを移動端末４へ送信する（ステップＳ３３）。ハンドオーバ先基地局Ｂ３は、移動元基地局Ａ２との間のデータ転送終了後、移動元基地局Ａ２からのＳＣＴＰリンクの切断要求に従って、移動元基地局Ａ２との間のＳＣＴＰリンク９を切断し（ステップＳ３４）、データ転送が終了する。
【００２６】
（ハンドオーバ時の処理手順）
図１０は、実施の形態にかかる通信システムのハンドオーバ時の処理手順を示すシーケンス図である。図１０に示すように、移動端末４は、無線通信エリアＡ５にいて基地局Ａ２と通信中（ステップＳ４１）、基地局Ｂ３の報知情報７を受信すると（ステップＳ４２）、その報知情報７に含まれる基地局Ｂ３のＩＰアドレスをメモリ２４に格納する（ステップＳ４３）。基地局Ｂ３は、常時、自局のＩＰアドレスを設定した報知情報７を報知している。ついで、移動端末４は、基地局Ａ２から基地局Ｂ３へハンドオーバするか否かを判定する（ステップＳ４４）。例えば、移動端末４は、基地局Ａ２に対する受信電力よりも基地局Ｂ３に対する受信電力の方が大きい場合、基地局Ｂ３へハンドオーバすると判定し、逆の場合にはハンドオーバをしないと判定する。
【００２７】
移動端末４は、ハンドオーバすると判定すると、メモリ２４から基地局Ｂ３のＩＰアドレスを読み出し（ステップＳ４５）、Ｍｅａｓｕｒｅｍｅｎｔ  Ｒｅｐｏｒｔ信号８にそのＩＰアドレスを設定して基地局Ａ２へ送信する（ステップＳ４６）。基地局Ａ２は、移動端末４から取得したＩＰアドレスに基づいて基地局Ｂ３を特定し、その基地局Ｂ３との間にＳＣＴＰリンク９が確立されていない場合には、次の手順でＳＣＴＰリンク９を確立する。
【００２８】
ＳＣＴＰ確立手順においては、まず、基地局Ａ２は、基地局Ｂ３へＩＮＩＴ（Ｉｎｉｔｉａｔｉｏｎ）メッセージを送信する（ステップＳ４７）。それに応答して、基地局Ｂ３は、基地局Ａ２へＩＮＩＴ  ＡＣＫ（Ｉｎｉｔｉａｔｉｏｎ  Ａｃｋｎｏｗｌｅｄｇｅｍｅｎｔ）メッセージを返す（ステップＳ４８）。続いて、基地局Ａ２は、基地局Ｂ３へＣＯＯＫＩＥ  ＥＣＨＯメッセージを送信する（ステップＳ４９）。それに応答して、基地局Ｂ３は、基地局Ａ２へＣＯＯＫＩＥ  ＡＣＫ（Ｃｏｏｋｉｅ  Ａｃｋｎｏｗｌｅｄｇｅｍｅｎｔ）メッセージを返し（ステップＳ５０）、基地局Ａ２と基地局Ｂ３の間にＳＣＴＰリンク９が確立される。基地局Ａ２が移動端末４からＭｅａｓｕｒｅｍｅｎｔ  Ｒｅｐｏｒｔ信号８を受信したときに、基地局Ａ２と基地局Ｂ３の間にＳＣＴＰリンク９が既に確立されている場合には、ステップＳ４７〜Ｓ５０のＳＣＴＰ確立手順は行われない。ＳＣＴＰポートには、Ｗｅｌｌ  Ｋｎｏｗｎポートが使用される。
【００２９】
基地局Ａ２は、基地局Ｂ３との間に確立されているＳＣＴＰリンク９を経由して基地局Ｂ３へ、基地局Ａ２に滞留しているユーザデータを転送する（ステップＳ５１）。そして、移動端末４の通信相手が基地局Ａ２から基地局Ｂ３に切り替わり、移動端末４は、基地局Ｂ３と通信を継続する（ステップＳ５２）。その後、基地局Ａ２は、無線通信エリアＡ５にいる別の移動端末から基地局Ｂ３へのハンドオーバ要求を受けている場合には、その移動端末についても基地局Ａ２に滞留しているユーザデータを基地局Ｂ３へ転送する。別の移動端末からのハンドオーバ要求を受けていない場合には、基地局Ａ２は、次の手順でＳＣＴＰリンク９を切断する。
【００３０】
ＳＣＴＰ切断手順においては、まず、基地局Ａ２は、基地局Ｂ３へＳＨＵＴＤＯＷＮメッセージを送信する（ステップＳ５３）。それに応答して、基地局Ｂ３は、基地局Ａ２へＳＨＵＴＤＯＷＮ  ＡＣＫ（Ｓｈｕｔｄｏｗｎ  Ａｃｋｎｏｗｌｅｄｇｅｍｅｎｔ）メッセージを返す（ステップＳ５４）。それによって、基地局Ａ２と基地局Ｂ３の間のＳＣＴＰリンク９が切断され、基地局Ａ２から基地局Ｂ３へのハンドオーバが完了する。
【００３１】
以上説明したように、本実施の形態によれば、ハンドオーバ先の基地局Ｂ３のＩＰアドレスが移動端末４を経由して移動元の基地局Ａ２に通知されるので、基地局Ａ２は、そのＩＰアドレスに基づいてハンドオーバ先の基地局Ｂ３を特定することができる。従って、移動端末４が基地局間をハンドオーバする際に、移動元基地局Ａ２とハンドオーバ先基地局Ｂ３との間にＳＣＴＰリンク９を確立することができる。そのリンク９を介して、移動元基地局Ａ２からハンドオーバ先基地局Ｂ３へ、基地局Ａ２に滞留しているユーザデータを転送することができる。
【００３２】
また、基地局間のリンク９は、必要なとき、例えばハンドオーバ時に滞留しているユーザデータを転送するときにのみ、確立される。必要のないときには、基地局間にリンク９が張られていないので、基地局の負荷が軽減される。また、常時、基地局間にリンクが張られている場合には、そのリンクを監視して制御する必要が生じるが、必要時のみリンク９が張られる構成であるので、そのような監視や制御が不要となる。また、各基地局が、隣接する基地局に関する局データ（ＩＰアドレスやＳＣＴＰポートなど）を保持する必要がないので、各基地局において、局データの作成や管理が容易となる。また、各基地局が、隣接する基地局に関する局データを保持していないので、基地局を増やしたり減らしたりしてシステムの構成を変更する場合に、容易に対応することができる。
【００３３】
上述した実施の形態に関し、さらに以下の付記を開示する。
【００３４】
（付記１）複数の基地局と移動端末を備えた通信システムにおいて、自局を特定する識別情報を報知する第２基地局と、前記第２基地局から報知された前記識別情報を受信して転送する移動端末と、前記移動端末から転送された前記識別情報に基づいて前記第２基地局を特定する第１基地局と、を備えることを特徴とする通信システム。
【００３５】
（付記２）前記識別情報に基づいて特定された前記第２基地局と前記第１基地局との間にリンクを確立することを特徴とする付記１に記載の通信システム。
【００３６】
（付記３）前記リンクを経由して前記第１基地局から前記第２基地局へデータを転送することを特徴とする付記２に記載の通信システム。
【００３７】
（付記４）前記データ転送の終了後、前記リンクを切断することを特徴とする付記３に記載の通信システム。
【００３８】
（付記５）自局を特定する識別情報と、前記識別情報を含む報知情報を生成して報知する報知情報部と、を備えることを特徴とする基地局。
【００３９】
（付記６）移動端末から受信した信号に含まれる識別情報に基づいて、前記移動端末のハンドオーバ先となる基地局を特定し、該ハンドオーバ先基地局との間のリンクの確立を制御するリンク制御部、をさらに備えることを特徴とする付記５に記載の基地局。
【００４０】
（付記７）前記ハンドオーバ先基地局との間に確立されたリンクを経由して前記ハンドオーバ先基地局へデータを転送するデータ転送部、をさらに備えることを特徴とする付記６に記載の基地局。
【００４１】
（付記８）前記リンク制御部は、前記データ転送の終了後、前記リンクを切断することを特徴とする付記７に記載の基地局。
【００４２】
（付記９）第２基地局から報知された報知情報に含まれる識別情報を格納する記憶部と、前記第２基地局をハンドオーバ先とする際に、前記記憶部に格納されている前記識別情報を読み出し、該識別情報を含む送信対象信号を生成して無線接続中の第１基地局へ送信する送信部と、を備えることを特徴とする移動端末。
【００４３】
（付記１０）移動端末が第１基地局から第２基地局へハンドオーバする際に、前記第１基地局が有するデータを前記第２基地局へ転送するデータ転送方法において、前記第２基地局が、自局を特定する識別情報を報知するステップと、前記移動端末が、前記第２基地局から報知された前記識別情報を受信して転送するステップと、前記第１基地局が、前記移動端末から転送されてきた前記識別情報に基づいて前記第２基地局を特定するステップと、前記第２基地局と前記第１基地局との間にリンクを確立するステップと、前記リンクを経由して前記第１基地局から前記第２基地局へデータを転送するステップと、を含むことを特徴とするデータ転送方法。
【００４４】
（付記１１）前記データ転送の終了後、前記リンクを切断するステップ、をさらに含むことを特徴とする付記１０に記載のデータ転送方法。
【図面の簡単な説明】
【００４５】
【図１】実施の形態にかかる通信システムの概略を示す説明図である。
【図２】実施の形態にかかる基地局の構成を示すブロック図である。
【図３】実施の形態にかかる移動端末の構成を示すブロック図である。
【図４】報知情報の構成の一例を示す説明図である。
【図５】Ｍｅａｓｕｒｅｍｅｎｔ  Ｒｅｐｏｒｔ信号の構成の一例を示す説明図である。
【図６】実施の形態にかかる移動端末の報知情報受信時の動作を示すフローチャートである。
【図７】実施の形態にかかる移動端末のハンドオーバ時の動作を示すフローチャートである。
【図８】実施の形態にかかる移動元基地局のハンドオーバ時の動作を示すフローチャートである。
【図９】実施の形態にかかる移動先基地局のハンドオーバ時の動作を示すフローチャートである。
【図１０】実施の形態にかかる通信システムのハンドオーバ時の処理手順を示すシーケンス図である。
【符号の説明】
【００４６】
２  第１基地局
３  第２基地局
４  移動端末
７  報知情報
９  リンク
１４  報知情報部
１６  リンク制御部
２４  記憶部
【図１】
2010028675.tif 000003
【図２】
2010028675.tif 000004
【図３】
2010028675.tif 000005
【図４】
2010028675.tif 000006
【図５】
2010028675.tif 000007
【図６】
2010028675.tif 000008
【図７】
2010028675.tif 000009
【図８】
2010028675.tif 000010
【図９】
2010028675.tif 000011
【図１０】
2010028675.tif 000012